(57)【要約】【課題】クレードルが省略され、製造コストの低廉化及び利便性の向上が達成可能な充電装置を提供する。【解決手段】商用電源から充電用の直流電力を作り出す電源装置（２）を具備する。この電源装置は、電源装置から引き出された出力ケーブル（２４，４０）を備えており、出力ケーブルには、携帯型電子機器に直接に接続されるコネクタ（４２）と、携帯型電子機器（６０）に内蔵された二次電池（６２）の充電を制御する充電制御部（２８）とが備えられている。【選択図】図１
2008167519.tif 000002
【特許請求の範囲】
【請求項１】
商用電源から充電用の直流電力を作り出す電源装置を具備し、
該電源装置は、該電源装置から引き出された出力ケーブルを備え、
該出力ケーブルには、
携帯型電子機器に直接に接続されるコネクタと、
前記携帯型電子機器に内蔵された二次電池の充電を制御する充電制御部と
が備えられていることを特徴とする充電装置。
【請求項２】
請求項１に記載の充電装置であって、
前記出力ケーブルには、前記コネクタの近傍位置にノイズ吸収部が備えられ、
前記充電制御部は、前記ノイズ吸収部に内蔵されている
ことを特徴とする充電装置。
【請求項３】
請求項２に記載の充電装置であって、
前記充電制御部は、
前記電源装置側に接続される入力部と、
前記携帯型電子機器側に接続される出力部と、
前記入力部と前記出力部との間に設けられ、前記電源装置からの電気エネルギーを整流する充電制御回路とを含み、
前記入力部と前記充電制御回路との間、或いは該充電制御回路と前記出力部との間のうち少なくともいずれか一方には、高周波ノイズを吸収するフィルタが配設されている
ことを特徴とする充電装置。
【発明の詳細な説明】
【技術分野】
【０００１】
本発明は、携帯型電子機器に内蔵された二次電池を充電する充電装置に関するものである。
【背景技術】
【０００２】
この種の携帯型電子機器、例えばデジタルカメラではＣＣＤやＣＭＯＳ等の光に反応する半導体素子が用いられており、映像は、電気信号に変換され、記憶媒体にデジタルデータとして記憶される。また、このカメラには二次電池からの電力が供給され、この電池は充電装置で適宜充電される。
【０００３】
詳しくは、充電装置はＡＣアダプタとクレードルとから構成され、クレードルはカメラを載置可能な大きさに形成されている。また、このクレードルには充電制御回路が内蔵されており、カメラをクレードルに載置すると、電力が充電制御回路を介してカメラ内の二次電池に供給される（例えば、特許文献１参照）。
【０００４】
【特許文献１】特開２００５−２４４６３３号公報
【発明の開示】
【発明が解決しようとする課題】
【０００５】
しかしながら、上記従来の技術では、充電装置がＡＣアダプタの他、クレードルをも必要としており、充電装置の製造コストが高くなるという問題がある。また、このクレードルが嵩張り、充電装置の持ち運びにも不便であるとの問題もある。
このように、上記従来の技術では、充電装置の簡素化、より詳しくは、充電制御回路を内蔵したクレードルを省略する点については格別な配慮がなされていない。
【０００６】
そこで、本発明の目的は、上記課題を解消し、クレードルを省略することができる充電装置を提供することである。
【課題を解決するための手段】
【０００７】
上記目的を達成するための第１の発明は、商用電源から充電用の直流電力を作り出す電源装置を具備し、電源装置は、電源装置から引き出された出力ケーブルを備え、出力ケーブルには、携帯型電子機器に直接に接続されるコネクタと、携帯型電子機器に内蔵された二次電池の充電を制御する充電制御部とが備えられている。
【０００８】
第１の発明によれば、電源装置が出力ケーブルを有し、このケーブルが携帯型電子機器に直接に接続される。そして、このケーブルには充電制御部が備えられており、充電制御部が電子機器に内蔵された二次電池の充電を制御する。よって、クレードルが不要になり、充電装置が電源装置のみの１つの構成で済む。この結果、充電装置の製造コストが抑えられるし、持ち運びにも便利になる。
【０００９】
第２の発明は、第１の発明の構成において、出力ケーブルには、コネクタの近傍位置にノイズ吸収部が備えられ、充電制御部は、ノイズ吸収部に内蔵されていることを特徴とする。
第２の発明によれば、第１の発明の作用に加えてさらに、充電制御部がノイズ吸収部に内蔵されているので、既存の電源装置とほぼ同じ外観を備えつつ、クレードルが不要になる。
【００１０】
第３の発明は、第２の発明の構成において、充電制御部は、電源装置側に接続される入力部と、携帯型電子機器側に接続される出力部と、入力部と出力部との間に設けられ、電源装置からの電気エネルギーを整流する充電制御回路とを含み、入力部と充電制御回路との間、或いは充電制御回路と出力部との間のうち少なくともいずれか一方には、高周波ノイズを吸収するフィルタが配設されていることを特徴とする。
第３の発明によれば、第１の発明の作用に加えてさらに、充電制御回路の入出力側の少なくともいずれか一方にはフィルタが配設されており、このフィルタが高周波ノイズを吸収していることから、充電装置の軽量化が図られる。
【発明の効果】
【００１１】
本発明によれば、クレードルが省略され、製造コストの低廉化と、利便性の向上とが達成可能な充電装置を提供することができる。
【発明を実施するための最良の形態】
【００１２】
以下、本発明の実施形態について図面を参照しながら説明する。
図１には本実施例の充電器（充電装置）１が示され、図２には充電器１の模式図が示されている。この充電器１は静止画をデジタルデータとして記録するデジタルカメラ６０の充電に用いられる。
【００１３】
図１に示されるように、充電器１はＡＣアダプタ（電源装置）２を有し、アダプタ２は、商用電源に接続可能に構成されたプラグ２０と、このプラグ２０に接続されるアダプタ本体２２とを有し、充電用の直流電力を作り出している。本実施例のプラグ２０は、アダプタ本体２２に回動可能に支持されており、本体２２の中央部分に形成された凹部２３内に収納可能に構成されている。なお、これらプラグ２０とアダプタ本体２２とはＡＣケーブルで接続されていても良い。
【００１４】
また、アダプタ２は出力ケーブルを有している。具体的には、このケーブルは電源用の２極ケーブル２４及び電源・充電用の５極ケーブル４０から構成されており、２極ケーブル２４の一端はアダプタ本体２２に接続され、ケーブル２４は本体２２から引き出されている。一方、このケーブル２４の他端はノイズ吸収部２６に接続される。
【００１５】
本実施例のノイズ吸収部２６は略直方体のケース２７で構成される。詳しくは、本実施例のケース２７は２つの枡形状で形成されており、ケース２７内は、枡形状の開口端同士を当接し、この当接部分を超音波で溶着することにより遮蔽されている。また、このケース２７の外周の適宜位置にはＬＥＤ５０が取り付けられている。
【００１６】
これに対し、ケース２７には充電制御部２８が内蔵されており、この充電制御部２８が二次電池６２の充電を制御する。詳しくは、充電制御部２８は、その大きさが約１５ｍｍ×約２２ｍｍのプリント配線板にて構成され、この配線板の両面には各種の電子部品が実装されている。そして、充電制御部２８は、図２に示されるように、入力部３０と、充電制御回路３４と、出力部３８とを有している。
【００１７】
この入力部３０は上記２極ケーブル２４の他端に接続され、２つの入力側フィルタ３２を介して充電制御回路３４に接続されている。このフィルタ３２はチップ型のフィルタであり、充電制御部２８に組み込まれている。そして、このフィルタ３２では、高周波ノイズ、本実施例ではカメラ６０のＣＰＵの発振を吸収し、熱を放出している。
【００１８】
充電制御回路３４では、アダプタ２からの電気エネルギーを整流し、二次電池６２の充電を制御する。また、この制御回路３４では充電開始時点からの経過期間が判別され、この期間に応じてＬＥＤ５０を発光させている。
【００１９】
一方、出力部３８は５つの出力側フィルタ３６を介して充電制御回路３４に接続されている。このフィルタ３６もまたチップ型のフィルタであり、上記高周波ノイズを吸収して熱を放出する。そして、この出力部３８は５極ケーブル４０の一端に接続されており、ケーブル４０はノイズ吸収部２６から引き出され、このケーブル４０の他端はコネクタ４２に接続されている。
【００２０】
このコネクタ４２は給電用端子を有しており、この端子がカメラ６０の受電用端子に接続可能に構成されている。
ここで、再び図１に戻り、上述したノイズ吸収部２６はアダプタ本体２２よりもコネクタ４２の近傍位置に配置されている。
【００２１】
上述の如く構成された充電器１では、二次電池６２の充電の際には、プラグ２０が商用電源のコンセントに接続される一方、コネクタ４２がカメラ６０に直接に接続される。
これにより、アダプタ２ではＡＣ電力がＤＣ電力に変換され、充電制御回路３４では二次電池６２の充電動作を開始する。なお、この時点ではＬＥＤ５０は赤色にて発光している。次いで、充電制御回路３４では充電開始時点からの経過期間が判別され、所定の期間が経過したと判定された場合には、ＬＥＤ５０が緑色に発光し、充電動作を終了する。
【００２２】
以上のように、本発明は、ＡＣアダプタのみで携帯型電子機器に内蔵された二次電池を充電する点に着目したものである。
【００２３】
そして、本実施例によれば、充電器１はＡＣアダプタ２の出力ケーブル２４，４０の途中に充電制御回路３４を備えている。換言すれば、アダプタ２がケーブル２４，４０を有し、ケーブル４０がデジタルカメラ６０に直接に接続されている。また、ケーブル２４とケーブル４０との間には充電制御部２８が備えられており、この制御部２８がカメラ６０に内蔵された二次電池６２の充電を制御している。
【００２４】
これにより、従来の如くＡＣアダプタ及びクレードルの２つの構成に比してアダプタ２のみの１つの構成で済み、充電器１の簡素化が図られる。そして、クレードルが不要になる結果、充電器１の製造コストが抑えられるし、嵩張らないことから、ユーザーによる持ち運びにも便利になる。
【００２５】
しかも、二次電池６２の充電がアダプタ２のみで可能となることにより、現時点では充電制御回路を内蔵した携帯型電子機器、例えば携帯電話であっても、将来的にはこの携帯電話から充電制御回路を省略可能となる。この点を鑑みれば、上記アダプタ２の構成は携帯型電子機器の小型・軽量化にも寄与する。
【００２６】
また、充電制御部２８がノイズ吸収部２６に内蔵されているので、既存のＡＣアダプタの構成、すなわち、このアダプタから引き出された２極ケーブルの途中にフェライトコアを有する構成とほぼ同じ外観を備えつつ、クレードルが不要になる。
【００２７】
さらに、充電制御回路３４の入出力側にはそれぞれフィルタ３２，３６が配設されており、これらフィルタ３２，３６が高周波ノイズをそれぞれ吸収していることから、従来の如くフェライトコア内にケーブルを通す構成に比して充電器の軽量化が可能となる。
【００２８】
さらにまた、フィルタ３２，３６がチップ型のフィルタで構成されている。よって、ノイズ吸収部２６の大きさがより一層小さくなり、充電器のさらなる小型・軽量化に寄与する。また、コネクタ４２付近に充電制御部２８（ケース２７）を設置すると、５極ケーブル４０の長さが短くて済むため、二次電池６２の充電期間が短くできるし、長い５極ケーブルを用いる場合に比して充電器の製造コストも抑えられる。
【００２９】
本発明は、上記実施例に限定されず、特許請求の範囲を逸脱しない範囲で種々の変更を行うことができる。
【００３０】
例えば、上記実施例では、充電制御部２８がノイズ吸収部２６に内蔵され、このノイズ吸収部２６がコネクタ４２の近傍位置に配置されている。しかし、本発明の充電器は必ずしもこの形態に限定されるものではなく、充電制御部が出力ケーブルに備えられている限り、コネクタを含む出力ケーブルのいずれかの位置に配置されていれば良く、この場合にも上記と同様にクレードルの省略が可能になるとの効果を奏する。
【００３１】
また、上記実施例では充電制御回路３４の入力側及び出力側にフィルタ３２，３６が配設されているが、フィルタは入力側或いは出力側のうちいずれか一方に配設されていれば良い。さらに、上記実施例では出力ケーブルに５極ケーブル４０を用いているが、充電に利用可能な２極以上の複数極ケーブル、例えば４極ケーブルを用いても良い。
【００３２】
さらに、上記実施例では携帯型電子機器としてデジタルカメラに具現化した例が示されている。しかしながら、本発明の充電装置は充電制御回路を内蔵しない携帯電話やＰＤＡ（Personal Digital
Assistance）等にも適用でき、その内蔵された二次電池を充電可能である。
【図面の簡単な説明】
【００３３】
【図１】本実施例の充電装置の外観斜視図である。
【図２】図１の充電装置の模式図である。
【符号の説明】
【００３４】
１  充電器（充電装置）
２  ＡＣアダプタ（電源装置）
２４  ２極ケーブル（出力ケーブル）
２６  ノイズ吸収部
２８  充電制御部
３０  入力部
３２  入力側フィルタ（フィルタ）
３４  充電制御回路
３６  出力側フィルタ（フィルタ）
３８  出力部
４０  ５極ケーブル（出力ケーブル）
４２  コネクタ
６０  デジタルカメラ（携帯型電子機器）
６２  二次電池
【図１】
2008167519.tif 000003
【図２】
2008167519.tif 000004